(57)【特許請求の範囲】
【請求項１】
多数枚のティッシュペーパーを収納し、上面に前記ティッシュペーパーの取出口を形成するための開封用切取ミシン目が設けられた直方体状の箱体に、長辺側の側面を底面側に延長して形成される傾斜支持片が備えられ、
前記傾斜支持片には、前記箱体の長辺方向と同じ方向に山折線が設けられ、
前記傾斜支持片には、前記山折線を端部とし、前記箱体側を央部とする１又は複数の略半円形状又は略四角形状の舌状片を形成するための第１のスリットが設けられ、
前記傾斜支持片の先端部には、突片が設けられ、
前記底面には、前記傾斜支持片の先端部を留めるための留め部が設けられ、
前記留め部は第２のスリットであり、
前記山折線を折り、前記突片が前記第２のスリットに挿入されて前記傾斜支持片の先端部を前記留め部に留めることで前記箱体が設置面に対して傾斜状態に維持されてなる、
ことを特徴とするスタンド付ティッシュペーパーボックス。
【請求項２】
前記取出口が、長辺寄りに設けられた、
ことを特徴とする請求項１に記載のスタンド付ティッシュペーパーボックス。
【発明の詳細な説明】
【技術分野】
【０００１】
本発明は、一般家庭や店舗で使用される市販のティッシュペーパーボックスの他、例えば、企業等が自社商品の宣伝や販売促進を目的に無料配布する記念品のノベルティ品に活用されているティッシュペーパーボックスに関し、広告面が見やすいスタンド付ティッシュペーパーボックスに関する。
【背景技術】
【０００２】
従来から、栄養ドリンク、ビール、ジュースなどの飲料が詰められたダース箱等に、ボックスティッシュ（ティッシュペーパーが箱詰めされたもの）を付けるなどし、企業等は自社商品の宣伝や販売促進を目的とした営業活動に取り組んでいる。これらのケースでは、ボックスティッシュの箱部分であるティッシュペーパーボックスの表面（上面や側面）に社名や広告を印刷し、そのままボックスティッシュをＰＯＰ広告にするという手法が採られている。
【先行技術文献】
【特許文献】
【０００３】
【特許文献１】特開２０１０−１６３１７５号公報
【０００４】
ここで、上記特許文献１によれば、ＰＯＰ広告に活用するためのベロの付いたティッシュペーパーボックスをすべて機械にて自動形成することができるような構成とした発明が提案されている。
【０００５】
この発明は、多数枚のティッシュペーパーを収納し、上面に前記ティッシュペーパーの取出口を形成するための開封用切取ミシン目が設けられた直方体の紙箱で構成されるティッシュペーパーボックスであって、この紙箱に、前後いずれかの面を延長して形成され、紙箱の底面に一部が接着する延長片が備えられたことを特徴とするティッシュペーパーボックスに係るものである。
【発明の概要】
【発明が解決しようとする課題】
【０００６】
上記特許文献１によれば、構造が簡単で、消費者が商品を購入後、ダース箱等の商品からボックスティッシュを手軽に取り外すことができる延長片、例えば舌（ベロ）状片を備えたティッシュペーパーボックスを提供することができる。したがって、この発明によれば、両面テープ等を用いなくてもダース箱等からボックスティッシュを簡単に着脱できるという効果を十分に発揮することができる。
【０００７】
ここで、敢えてこの発明に関し新たな課題を挙げるとすれば以下のような課題が考えられる。上記のような舌状片を備えたティッシュペーパーボックスはダース箱や設置面に対して水平または垂直に設置されるものである。したがって、例えばティッシュペーパーボックスを真上（上面側）から見た場合には、側面に印刷された内容が見えなくなり、また、正面側（側面側）から見た場合には、上面に印刷された内容が見えなくなる。つまり、人がティッシュペーパーボックスを見る角度によっては、広告が印刷された面が見づらくなることがあり、広告内容を効果的にアピールすることができなくなるという問題が生じる。なお、この問題は、ティッシュペーパーボックスをダース箱に設置した場合に限られず、カウンターや展示スペースなど、設置した場所が水平であるならば場所を問わずに生じ得る問題である。
【０００８】
本発明は、上記実情に鑑みて提案されたもので、一般家庭、オフィスや店舗の他、ＰＯＰ広告に活用するためのティッシュペーパーボックスを設置面に対して傾斜をつけて設置することができるような構成とし、様々な角度から見てもティッシュペーパーボックスに印刷された広告内容が見やすいスタンド付ティッシュペーパーボックスを提供することを目的とする。
【課題を解決するための手段】
【０００９】
上記目的を達成するために、本発明に係るスタンド付ティッシュペーパーボックスは、多数枚のティッシュペーパーを収納し、上面に前記ティッシュペーパーの取出口を形成するための開封用切取ミシン目が設けられた直方体状の箱体に、長辺側の側面を底面側に延長して形成される傾斜支持片が備えられ、前記傾斜支持片には、前記箱体の長辺方向と同じ方向に山折線が設けられ、前記底面には、前記傾斜支持片の先端部を留める留め部が設けられており、前記山折線を折り、前記傾斜支持片の先端部を前記留め部に留めることで前記箱体が設置面に対して傾斜状態に維持されることを特徴としている。
【００１０】
特に、上記傾斜支持片には、前記山折線を端部とし、前記箱体側を央部とする１又は複数の略半円形状又は略四角形状の舌状片を形成するための第１のスリットが設けられていることが好ましい。また、前記傾斜支持片の先端部には突片が設けられていることが好ましい。さらに、前記留め部が第２のスリットであることも好ましい。このように構成することで、前記突片が前記第２のスリットに挿入されて、前記傾斜状態が維持されることになる。
【００１１】
また、前記取出口が、箱体の上面の長辺寄りに設けられていることも好ましい。
【発明の効果】
【００１２】
本発明は、箱体の長辺側の側面を底面側に延長して形成され、箱体の長辺方向と同じ方向に山折線が設けられた傾斜支持片を備え、この傾斜支持片を山折線で折り、傾斜支持片の先端部を箱体の底部に設けられた留め部に留めてスタンド付ティッシュペーパーボックスを構成した。したがって、この傾斜支持片により箱体の底面（裏面）には縦断面略Ｌ字型のスタンドが形成され、このスタンドが箱体を支持することで、箱体を傾斜状態で設置することができるスタンド付ティッシュペーパーボックスを提供することができる。また、箱体が傾斜状態であれば、これまでの様に箱体が水平状態で置かれていた場合には見ることができなった面側、すなわち、正面側（側面側）から見た場合に死角となっていた上面側を見ることができるようになるため、人がティッシュペーパーボックスを見る角度によって広告が印刷された面が見づらくなることがなくなる。また、上面と正面（側面）との２面に渡って広告を印刷した場合に、２面が連なった立体的な広告を見やすくすることができる。
【００１３】
さらに、上記傾斜支持片には、前記山折線を端部とし、前記箱体側を央部とする１又は複数の略半円形状又は略四角形状の舌状片を形成するためのスリットが設けられて構成されている。したがって、上記の効果を有しつつ、傾斜支持片が設置面と接触する面積が舌状片の分だけ広がり、傾斜状態を安定させることができるスタンド付ティッシュペーパーボックスを提供することができる。当然、舌状片が複数形成されれば、衝撃や振動に対する安定度が一層増すことになる。特に、箱体に傾斜支持片を設けただけの簡単な構造であるので、ティッシュペーパーボックスをすべて機械にて自動形成することができ、納期、コスト面での企業等の経費の削減というニーズに応えることも可能となる。
【００１４】
また、上記傾斜支持片の先端部には、突片が設けられ、前記留め部は第２のスリットであり、前記突片が前記第２のスリットに挿入されて前記傾斜状態が維持される構成とされている。したがって、傾斜支持片を山折線で山折りして箱体の底面（裏面）に縦断面略Ｌ字型のスタンドを形成する作業が容易となる。特に、箱体の底部に形成された留め部が、傾斜支持片の先端部に設けられた突片を挿入するスリットで構成されているため、突片とスリットとの着脱が容易であり、本発明に係るスタンド付ティッシュペーパーボックスを手早く組立てることができる。
【００１５】
また、ティッシュペーパーの取出口が箱体上面の一方の長辺寄りに設けられた構成とすれば、上記の効果を有しつつ、箱体上面の他方の長辺から取出口までの間が広がり、広告として利用できるスペースを広くとることができるスタンド付ティッシュペーパーボックスを提供することができる。また、広げられたスペースは、広告スペースとしての利用だけではなく、例えば、メッセージやカレンダーを印刷したり、空白にしておいて後から書き込むといった多目的スペースとして利用することもできる。
【図面の簡単な説明】
【００１６】
【図１】本発明に係るスタンド付ティッシュペーパーボックスの斜視図である。
【図２】実施例１に係るスタンド付ティッシュペーパーボックスの底面側から斜視で示した説明図であり、（ａ）は傾斜支持片の構成を説明する説明図、（ｂ）は傾斜支持片の作用を説明する説明図である。
【図３】実施例１に係るスタンド付ティッシュペーパーボックスの展開図である。
【図４】実施例１に係るスタンド付ティッシュペーパーボックスの変形例の展開図の一部を示す説明図であり、（ａ）は舌状片が略四角形状である場合を示す説明図、（ｂ）は舌状片が複数形成された場合を示す説明図である。
【図５】実施例２に係るスタンド付ティッシュペーパーボックスの斜視図である。
【図６】実施例２に係るスタンド付ティッシュペーパーボックスの展開図である。
【図７】実施例３に係るスタンド付ティッシュペーパーボックスの斜視図である。
【図８】実施例３に係るスタンド付ティッシュペーパーボックスの展開図である。
【発明を実施するための形態】
【００１７】
以下、本発明について、いくつかの実施例を図面とともに説明する。
【００１８】
（実施例１）
本発明に係るスタンド付ティッシュペーパーボックスは、図１に示すように、図示しない多数枚のティッシュペーパーを収納し、上面１２にティッシュペーパーの取出口１２２を形成するための開封用切取ミシン目１２１が設けられた直方体の紙箱１１と、傾斜支持片１５とから構成されている。傾斜支持片１５は、紙箱１１の長辺側の側面、すなわち、図１において後面１３を底面側に延長して形成されている。この傾斜支持片１５の構成については、図２（ａ）、（ｂ）を用いて後に詳しく説明する。
【００１９】
スタンド付ティッシュペーパーボックスの紙箱１１自体の形態は、傾斜支持片１５を除けば従来の市販品のティッシュペーパーボックスと同様で、何ら変わらない形状をしており、紙箱１１内の形態も、従来の市販品のティッシュペーパーが詰められたティッシュペーパーボックスと同様である。ただし、紙箱１１の底面（裏面）には後面１３が延長されることで紙箱１１のスタンドとなる傾斜支持片１５が設けられている点が従来のティッシュペーパーボックスとは異なる。この傾斜支持片１５により、紙箱１１を傾斜状態で維持して設置することができる。なお、本実施例１では、紙製のスタンド付ティッシュペーパーボックスを例示するが、紙製に限られず、薄いプラスチック製や、直方体形状を維持することができる程度に硬化処理がなされた布製などであってもよい。
【００２０】
傾斜支持片１５は、図２（ａ）に示すように、紙箱１１の長辺側の側面としての後面１３を、底面（裏面）１４側に延長して形成されている。傾斜支持片１５は、幅が紙箱１１の長辺の長さとほぼ同じ幅で、長さが底面（裏面）１４の一方の長辺１４ｂから他方の長辺１４ｃ付近に達している。また、傾斜支持片１５には、底面（裏面）１４における後面１３近傍側の一側１４ａにて底面（裏面）１４と糊付けにより接着させられる糊付領域１５ａが設けられている。糊付領域１５ａは、底面（裏面）１４の長辺の長さとほぼ等しい長手の長さを有する略長方形の領域である。そして、傾斜支持片１５の糊付領域１５ａにおける底面１４との糊付けにより、紙箱１１は直方体の箱状に維持されている。
【００２１】
また、傾斜支持片１５は、紙箱１１の長辺方向と同じ方向に山折線１５２と、この山折線１５２を境界とする紙箱側領域１５ｂと先端側領域１５ｃとからなり、紙箱側領域１５ｂに山折線１５２を端部としつつ、紙箱１１側、すなわち紙箱側領域１５ｂ側を央部とする略半円形状の第１のスリット１５３が設けられ、この第１のスリット１５３により舌状片１５３ａが形成されている。傾斜支持片１５の先端部には、突片１５４が設けられている。紙箱１１の底部（裏面）１４には、傾斜支持片１５の先端部の突片１５４を留める留め部としての第２のスリット１４１が設けられている。
【００２２】
山折線１５２は、傾斜支持片１５の面上ほぼ中央で紙箱１１の長辺方向と同じ方向に設けられている。ただし、山折線１５２のほぼ中央に設けられた舌状片１５３ａの端部に係る部分には、山折線はなくてもよい。この山折線１５２を折ることで、図２（ｂ）に示すようにスタンド１５２ａが形成される。スタンド１５２ａは、設置面と接触し、紙箱１１の底部（裏面）１４側を支持する。これにより、紙箱１１は斜めに立ち上げられた状態で維持される。なお、山折線１５２は、傾斜支持片１５を折りやすくするための線であり、通常の折り目の他、ミシン目とすることもできる。この場合は、ミシン目から傾斜支持片１５の先端側領域１５ｃを切り離すことが可能となり、紙箱１１は通常のティッシュペーパーボックスとして用いることもできる。
【００２３】
第１のスリット１５３は、傾斜支持片１５の面上で山折線１５２を端部としつつ、紙箱１１側（紙箱側領域１５ｂ側）を央部として略半円形状に形成される。すなわち、第１のスリット１５３とは、山折線１５２の線上に半円形状の１辺（半円形のうち直線の部分）を有し、山折線１５２のほぼ中央から紙箱側領域１５ｂ側に向かって半円形状に入れられたスリットを指すものである。この第１のスリット１５３を入れることで紙箱側領域１５ｃから延設される舌状片１５３ａが形成される。
【００２４】
舌状片１５３ａは、上述した第１のスリット１５３と同径の半円形状（かまぼこ型）であり、紙箱側領域１５ｂから切り抜かれ、先端側領域１５ｃから延設されて形成される。したがって、舌状片１５３ａを折らないように傾斜支持片１５を山折線１５２で山折りすると、舌状片１５３ａは、図２（ｂ）に示すように先端側領域１５ｃと同一面上に形成される。この舌状片１５３ａによれば、紙箱１１を傾斜状態で維持するに際し、スタンド１５２ａの設置面に接触する面積が舌状片１５３ａの分だけ広がり、衝撃や振動などに対しても紙箱１１の傾斜状態を安定させることができる。
【００２５】
突片１５４は、図２（ａ）に示すように、傾斜支持片１５の同一面上で、かつ先端部のほぼ中央から突出して延設されている。一方、第２のスリット１４１は、底面（裏面）１４のほぼ中央付近に箱体１１の長辺方向と平行に切り込むことで設けられている。この突片１５４が第２のスリット１４１に挿入されることで、山折線１５２で山折りした傾斜支持片１５は図２（ｂ）に示すようなスタンド１５２ａとなる。なお、突片１５４は、図２（ａ）において１つの略四角形状として示されているが、略四角形状に限られず、例えば、略半円形状で複数形成されていてもよい。また、留め部は、同図２（ａ）において第２のスリット１４１として示されているが、スリットに限られず、糊付けなどによる構成でもよい。ただし、スリットであれば、着脱が容易であるため、本実施例１のように傾斜状態としたスタンド付ティッシュペーパーボックスとして用いる場合と、通常のティッシュペーパーボックスのように平面状態で用いる場合とで、紙箱を臨機応変に変形することが可能である。
【００２６】
次に、図３に基づいて、本実施例１に係るスタンド付ティッシュペーパーボックス１０の組立方法の概略について説明する。
【００２７】
まず、スタンド付ティッシュペーパーボックス１０の組立前において、所定の長さ、幅を有する厚紙からくり抜き、上から傾斜支持片１５、後面１３、上面１２、前面１６、底面（裏面）１４の順に連続した所定の形状の一枚の展開紙片１００とする。その際、後面１３、上面１２、前面１６、底面（裏面）１４にはそれぞれ、組立時に側面１７、１８となる側部片１７ａ〜１７ｄ、１８ａ〜１８ｄを形成する。また、傾斜支持片１５の先端部に突片１５４を延設して形成する。さらに、傾斜支持片１５には略半円形状の第１のスリット１５３を、底面（裏面）１４には第２のスリット１４１を、それぞれ形成する。図３において斜線で示される領域は、傾斜支持片１５や側部片１７ａ〜１７ｄ、１８ａ〜１８ｄの糊付けされる部分を示すものである。一点鎖線で示されるのは、スタンド付ティッシュペーパーボックス１０を組み立てる際に折り目となる部分である。破線で示されるのは、ティッシュペーパー取出口１２２を形成するための開封用切取ミシン目１２１である。第１のスリット１５３、第２のスリット１４１は切り込みであるが、理解し易くするために実線で示してある。なお、ティッシュペーパー取出口１２２の長辺のうち１辺は、ミシン目１２１とはせずに通常の折り目としてもよい。この場合、ティッシュペーパー取出口１２２の紙片部分は、折り目を介して紙箱１１の上面１２と繋がり、ティッシュペーパー取出口１２２のフタのような構成となる。
【００２８】
次に、図３の所定の形状の一枚の展開紙片１００を、一点鎖線に沿って折り曲げるとともに、傾斜支持片１５の糊付領域１５ａや側部片１７ａ〜１７ｄ、１８ａ〜１８ｄの糊付けされる部分を糊付けする。そして、傾斜支持片１５を山折線１５２で山折りするとともに、突片１５４を底面１４（裏面）の第２のスリット１４１に挿入する。このとき、先端側領域１５ｃに延設された舌状片１５３ａを
折らないように傾斜支持片１５を山折線１５２で山折りすれば、図１および図２（ｂ）に示すような本実施例１に係るスタンド付ティッシュペーパーボックス１０となる。
【００２９】
スタンド付ティッシュペーパーボックス１０の代表的な寸法は、上面１２、底面（裏面）１４、後面１３、前面１６の長辺が２４５ｍｍ、上面１２、底面（裏面）１４の短辺が１１４〜１１５ｍｍ、後面１３、前面１６の短辺が６５〜６６ｍｍである。また、傾斜支持片１５の長辺が２４３ｍｍ、短辺が１０４ｍｍ、突片１５４の長辺が３０ｍｍ、短辺が１０ｍｍである。ティッシュペーパー取出口１２２は、上面１２のほぼ中央に形成された略長方形で、長辺が１７０ｍｍ、短辺が３５ｍｍである。山折線１５２は、傾斜支持片１５の先端部より４５ｍｍの位置に形成される。舌状片１５３ａを形成する第１のスリットは、曲げ半径が３７．５Ｒである。底面（裏面）１４の第２のスリット１４１は、底面（裏面）１４上で、前面１６と接する長辺１４ｃから他方の長辺１４ｂに向かって５０ｍｍの位置に長辺１４ｂ、１４ｃと並行に形成され、幅は３２ｍｍである。なお、舌状片の形状や大きさは、厚紙の材質、使用状況等から強度を考慮して適宜決定すればよい。
【００３０】
上述したように、本実施例１に係るスタンド付ティッシュペーパーボックス１０は、紙箱１１の長辺側の側面を底面（裏面）１４側に延長して形成される傾斜支持片１５に、山折線１５２と、この山折線１５２を端部とする略半円形状の第１のスリット１５３により形成される舌状片１５３ａとが設けられ、山折線１５２を折って傾斜支持片１５の先端部の突片１５４を紙箱１１の底面（裏面）１４の第２のスリット１４１に挿入して構成される。したがって、この傾斜支持片１５により紙箱１１の裏面には縦断面略Ｌ字型のスタンド１５２ａが形成され、紙箱１１が傾斜状態で支持されて設置することができる。また、紙箱１１が傾斜状態であれば、これまでの様に紙箱が水平状態では見ることができなった面側、すなわち、正面側（側面側）から見た場合に死角となっていた上面側を見ることができるようになるため、人がティッシュペーパーボックスを見る角度によって広告が印刷された面が見づらくなることがなくなる。また、上面と正面（側面）との２面に渡って広告を印刷した場合に、２面が連なった立体的な広告を見やすくすることができる。
【００３１】
なお、本実施例１に係るスタンド付ティッシュペーパーボックス１０は、紙箱１１の後面１３を底面（裏面）１４側に延長して形成される傾斜支持片１５によってスタンド１５２ａが形成され、スタンド１５２ａは、設置面と接触し、紙箱１１の底部（裏面）１４側を支持することは上述の通りである。より具体的には、スタンド１５２ａの縦断面略Ｌ字型の菱部分が設置面と接触する。すなわち、スタンド１５２ａのうち、「面」部分（スタンド１５２ａとなる傾斜支持片１５の先端側領域１５ｃ）ではなく、「線」部分（スタンド１５２ａの縦断面略Ｌ字型の菱部）が設置面と接触することになる。この場合であっても、紙箱１１の傾斜状態を十分に安定させることができる。したがって、本実施例１に係るスタンド付ティッシュペーパーボックス１０は広告面を見やすくするという効果を十分に発揮することができる。
【００３２】
また、傾斜支持片１５に設けられた第１のスリット１５３により、傾斜支持片１５の紙箱側領域１５ｂから切り抜かれた舌状片１５３ａは、傾斜支持片１５の先端側領域１５ｃから延設されて形成され、舌状片１５３ａを折らないように傾斜支持片１５を山折線１５２で山折りすると先端側領域１５ｃと同一面上に形成されることも上述の通りである。より具体的には、舌状片１５３ａが設置面に接触することでスタンド１５２ａの縦断面略Ｌ字型の菱部分が設置面からわずかに浮く場合があるが、紙箱１１の傾斜状態を十分に安定させることができる。この場合であっても、傾斜支持片１５を山折線１５２で山折りするとともに舌状片１５３ａを適度に折ることで、舌状片１５３ａと併せてスタンド１５２ａの縦断面略Ｌ字型の菱部分も設置面に接触させることができる。すなわち、スタンド１５２ａの「線」部分（スタンド１５２ａの縦断面略Ｌ字型の菱部）に、適度に折られた舌状片１５３ａが「面」部分として加わり、本実施例１に係るスタンド付ティッシュペーパーボックス１０は、傾斜状態を更に安定させることができるため、広告面を見やすくするという効果を十分に発揮することができる。
【００３３】
本実施例１では、舌状片１５３ａは、略半円形状として示されているが、略半円形状に限られず、例えば、図４（ａ）に示すように、略四角形状であってもよい。さらに、舌状片は、図４（ｂ）に示すように、２つまたはそれ以上形成されていてもよい。なお、舌状片の形状を変形し、または片数を変更する場合は、上述した第１のスリットは、図４（ａ）に示すように略四角形状とし、また、同図４（ｂ）に例示すように複数のスリットを形成する。舌状片の形状を変形させ、または、舌状片を複数形成することで、紙箱１１の傾斜状態をさらに安定させることができる。
【００３４】
（実施例２）
本実施例２に係るスタンド付ティッシュペーパーボックス２０では、図５に示すように、ティッシュペーパーの取出口１２２が、紙箱１１の上面１２の中央よりも長辺１２ａ寄りに設けられている。また、ティッシュペーパーの取出口１２２は、箱体の上面１２の中央よりも長辺１２ｂ寄りに設けることもできる。なお、紙箱および傾斜支持片の構成は、実施例１と同じである。
【００３５】
次に、本実施例２に係るスタンド付ティッシュペーパーボックス２０の組立方法の概略および寸法について、図６に基づいて、実施例１と異なる構成のみを説明する。
【００３６】
本実施例２によれば、ティッシュペーパー取出口１２２は、紙箱１１の上面１２の一方の長辺１２ａから他方の長辺１２ｂに向かって１５ｍｍの位置に長辺の一方が配置されるような略長方形であり、長辺が１７０ｍｍで、短辺が３０ｍｍである。なお、その他の寸法は、実施例１と同じである。
【００３７】
上述したように、本実施例２に係るスタンド付ティッシュペーパーボックス２０は、ティッシュペーパーの取出口が、紙箱１１の上面１２の一方の長辺１２ａ寄りに設けられた構成とした。したがって、紙箱１１の上面１２の他方の長辺１２ｂからティッシュペーパー取出口１２２までの間が広がり、広告として利用できるスペースを広くとることができるスタンド付ティッシュペーパーボックスを提供することができる。また、広げられたスペースは、広告スペースとしての利用だけではなく、例えば、図５に例示するようにカレンダーを印刷したり、空白にしておいて後から書き込むといった多目的スペースとして利用することもできる。
【００３８】
（実施例３）
本実施例３に係るスタンド付ティッシュペーパーボックス３０は、図７に示すように、ティッシュペーパー取出口１２２が、紙箱１１の上面１２の中央よりも長辺１２ａに寄り、特に、長辺１２ａの一部を含んだ紙箱１１の角部に設けられている。すなわち、ティッシュペーパー取出口１２２は、紙箱１１の上面１２から一方の長辺１２ａを経て、紙箱１１の後面１３に渡って立体的に設けられている。なお、上述したように本実施例３に係るスタンド付ティッシュペーパーボックス３０のティッシュペーパー取出口１２２は立体的な形態であるが、ティッシュペーパー取出口１２２の構成の説明を理解しやすくするために、以下、ティッシュペーパー取出口１２２の形状を、紙箱１１の上面１２から後面１３へまたがる略長方形として説明する。
【００３９】
ティッシュペーパー取出口１２２は略長方形であり、一方の長辺１２２ａが紙箱１１の長辺１２ａに平行して上面１２上に設けられ、他方の長辺１２２ｂが紙箱１１の長辺１２ａに平行して紙箱１１の後面１３上に設けられている。そして、ティッシュペーパー取出口１２２の長辺１２２ａ、１２２ｂの端部同士が、紙箱１１の上面１２から後面１３に渡って設けられた短辺によって繋がれて、略長方形のティッシュペーパー取出口１２２が形成されている。長辺１２２ｂのほぼ中央には、ティッシュペーパー取出口１２２を開封しやすくするための凸状のつまみ部が設けられている。本実施例３では、ティッシュペーパー取出口１２２の一方の長辺１２２ａは、折り目により形成され、他方の長辺１２２ｂおよび短辺はミシン目で形成されている。したがって、ミシン目のみを切り離せば、切り離された紙片は、ティッシュペーパー取出口１２２の一方の長辺１２２ａを介して紙箱１１の上面１２と繋げられ、ティッシュペーパー取出口１２２のフタ部分となる。なお、ティッシュペーパー取出口１２２の一方の長辺１２２ａはミシン目であってもよい。紙箱および傾斜支持片の構成は、実施例１と同じである。
【００４０】
次に、本実施例３に係るスタンド付ティッシュペーパーボックス３０の組立方法の概略および寸法について、図８に基づいて、実施例１と異なる構成のみを説明する。
【００４１】
本実施例３によれば、ティッシュペーパー取出口１２２は、長辺が１２０ｍｍで、短辺が４７ｍｍである。長辺１２２ｂの中央に形成された凸状のつまみの幅は１０ｍｍである。長辺１２２ａは、上面１２上で、上面１２の一方の長辺１２ａから３０ｍｍの位置に形成され、長辺１２２ｂは、後面１３上で、上面１２の一方の長辺１２ａから１７ｍｍの位置に形成される。なお、その他の寸法は、実施例１と同じである。
【００４２】
上述したように、本実施例３に係るスタンド付ティッシュペーパーボックス３０は、ティッシュペーパー取出口１２２が、紙箱１１の上面１２の中央よりも長辺１２ａに寄り、特に、長辺１２ａの一部を含んだ紙箱１１の角部に設けられた構成とした。したがって、実施例２と同様に広告として利用できるスペースを広くとることができるティッシュペーパーボックスを提供することができる。特に、本実施例３に係るスタンド付ティッシュペーパーボックス３０は、ティッシュペーパー取出口１２２の一方の長辺１２２ａが、折り目により形成され、他方の長辺１２２ｂおよび短辺はミシン目で形成されている。したがって、ミシン目のみを切り離せば、切り離された紙片はティッシュペーパー取出口１２２の一方の長辺１２２ａを介して紙箱１１の上面１２と繋げられているため、ティッシュペーパー取出口１２２のフタ部分となり、フタ部分の表にも広告を印刷することができる。この場合、例えば図７において、紙箱１１の前面１６、上面１２およびティッシュペーパー取出口１２２フタ部分の３面に渡って広告をつなげることもできるため、広告をより立体的で見やすくすることもできる。
【００４３】
以上、本発明のいくつかの実施例を詳述したが、本発明は上記実施例に限定されるものではない。例えば、小売店等においてダース箱を陳列する際、ダース箱の側面に形成された隙間に舌状片を差し込んで、そのままボックスティッシュをＰＯＰ広告にすることができる。その他、本発明は、特許請求の範囲に記載された事項を逸脱することがなければ、種々の設計変更を行うことが可能である。
【符号の説明】
【００４４】
１０                実施例１に係るスタンド付ティッシュペーパーボックス
１１                紙箱
１２                上面
１２ａ、ｂ          紙箱の長辺
１２１              ミシン目
１２２              ティッシュペーパー取出口
１２２ａ、１２２ｂ  ティッシュペーパー取出口の長辺
１３                後面
１４                底面（裏面）
１４ａ              底面における前面近傍側の一側
１４ｂ、ｃ          底面の（裏面）長辺
１４１              第２のスリット
１５                傾斜支持片
１５ａ              糊付領域
１５ｂ              紙箱側領域
１５ｃ              先端側領域
１５２              山折線
１５２ａ            スタンド
１５３              第１のスリット
１５３ａ            舌状片
１５４              突片
１６                前面
１７ａ、ｂ、ｃ、ｄ  側部片
１８ａ、ｂ、ｃ、ｄ  側部片
２０                実施例２に係るスタンド付ティッシュペーパーボックス
３０                実施例３に係るスタンド付ティッシュペーパーボックス
１００              展開紙片
【図１】
0005534462.tif 000002
【図２】
0005534462.tif 000003
【図３】
0005534462.tif 000004
【図４】
0005534462.tif 000005
【図５】
0005534462.tif 000006
【図６】
0005534462.tif 000007
【図７】
0005534462.tif 000008
【図８】
0005534462.tif 000009